(57)【要約】【課題】オープンエンド紡糸機を含む、綾巻きボビンを形成する繊維機械（１）を稼働させる方法を提供する。【解決手段】繊維機械（１）は、複数の同一のワークステーション（２）を有する。複数のワークステーション（２）の通常動作中は、複数のワークステーション（２）によって、糸が生成されるか、または、供給ボビンから受け取りボビンへと糸が巻き直され、複数のワークステーション（２）は、ワークステーション（２）のグループ（７）に分けられ、グループ（７）は、異なる時間に始動される。さらに、オープンエンド紡糸機を含む、綾巻きボビンを形成する繊維機械（１）も提供される。繊維機械（１）は、糸を生成するか、または、供給ボビンから受け取りボビンへと糸を巻き直すための複数の同一のワークステーションを有し、繊維機械（１）は、制御手段を有するか、または、制御手段に動作可能に接続され、制御手段は、上述のように繊維機械（１）を稼働させるために設計されている。【選択図】図１
2020020083.tif 000002
【特許請求の範囲】
【請求項１】
オープンエンド紡糸機を含む、綾巻きボビンを形成する繊維機械（１）を稼働させる方法であって、
前記繊維機械（１）は、複数の同一のワークステーション（２）を有し、
前記複数のワークステーション（２）の通常動作中は、前記複数のワークステーション（２）によって、糸が生成されるか、または、供給ボビンから受け取りボビンへと糸が巻き直され、
前記複数のワークステーション（２）の停止後、前記複数のワークステーション（２）が始動し、通常動作モードに入り、
前記複数のワークステーション（２）は、ワークステーション（２）のグループ（７）に分けられ、前記グループ（７）は、異なる時間に始動される、
方法。
【請求項２】
前記複数のワークステーション（２）の連続する前記グループ（７）の始動時間のずれは、予め定義可能な待ち時間である、請求項１に記載の方法。
【請求項３】
前記複数のワークステーション（２）の連続する前記グループ（７）の始動時間のずれは、前記繊維機械（１）の状態関数として決定される、請求項１または２に記載の方法。
【請求項４】
前記複数のワークステーション（２）は、確定的に予め定義可能な前記グループ（７）に分けられる、請求項１〜３のいずれか一項に記載の方法。
【請求項５】
前記複数のワークステーション（２）は、前記繊維機械（１）の状態データの関数として決定されたワークステーション（２）の前記グループ（７）に分けられる、請求項１〜４のいずれか一項に記載の方法。
【請求項６】
前記複数のワークステーション（２）の前記グループ（７）が始動する順序は、予め定義可能である、請求項１〜５のいずれか一項に記載の方法。
【請求項７】
前記複数のワークステーション（２）の前記グループ（７）が始動する順序は、前記繊維機械（１）の状態データの関数として決定される、請求項１〜６のいずれか一項に記載の方法。
【請求項８】
前記状態データは、エネルギー、圧縮空気、および／または、真空を含む前記繊維機械（１）のリソース、および／または、紡績糸もしくは巻き付けられた糸のパラメータを含む、請求項１に記載の方法。
【請求項９】
オープンエンド紡糸機を含む、綾巻きボビンを形成する繊維機械（１）であって、
糸を生成するか、または、供給ボビンから受け取りボビンへと糸を巻き直すための複数の同一のワークステーションを有し、
前記繊維機械（１）は、制御手段を有するか、または、前記制御手段に動作可能に接続され、
前記制御手段は、請求項１〜８の１つ以上に記載された繊維機械（１）を稼働させるために設計されている、
繊維機械（１）。
【請求項１０】
前記制御手段は、１つの中央制御装置（４）であるか、または、複数の中央制御装置（４）である、請求項９に記載の繊維機械（１）。
【請求項１１】
前記繊維機械（１）は、前記繊維機械（１）の状態データを収集するための、前記制御手段に接続されたセンサ、および／または、測定装置を含む、請求項９または１０に記載の繊維機械（１）。
【発明の詳細な説明】
【技術分野】
【０００１】
本発明は、繊維機械、特に、綾巻きボビンを形成する繊維機械、より詳しくは、オープンエンド紡糸機を稼働させる方法に関する。繊維機械は、複数の同一のワークステーションを有する。ワークステーションの通常動作中、ワークステーションは、糸を生成するか、または、供給ボビンから受け取りボビンへと糸を巻き直す。複数のワークステーションは、停止後、始動されて、通常動作モードに入る。さらに、本発明は、繊維機械に関し、特に、綾巻きボビンを形成する繊維機械、より詳しくは、オープンエンド紡糸機に関する。繊維機械は、糸を生成するか、または、供給ボビンから受け取りボビンへと糸を巻き直すための複数の同一のワークステーションを有する。
【背景技術】
【０００２】
繊維機械の一般的な動作方法、および、一般的な繊維機械が知られている。解決すべき課題は、特に、繊維機械の自動化がますます進むことを考慮すると、例えば、計画的な機械の停止の後、ロット変更の後、または、電源異常の後に、複数のワークステーションを迅速に始動することである。迅速な始動により、ワークステーションが通常動作を迅速に開始し、すばやく生産を再開することを保証する。したがって、すべてのワークステーションが同時に始動することが理想的であろう。しかしながら、これは、ワークステーションを始動させるために必要な（電気）エネルギー、圧縮空気、または、真空などの特定のリソースが限られた量しか利用できないため、通常はうまくいかない。そのため、すべてのワークステーションを同時に始動することは不可能である。
【０００３】
特許文献１は、限られたリソースを考慮した上で可能性のある方法が開示されている。この方法では、個別のワークステーションで通常動作を開始するサービスオペレーションが、複数のサブシーケンスにさらに分割される。この方法は、利用可能なリソースを非常に効率的に使用できるようにするが、複雑であり、個別のサブシーケンスに分散させ、分散を調整する高性能な制御装置を必要とする。
【先行技術文献】
【特許文献】
【０００４】
【特許文献１】欧州特許公開公報第２  ３０９  ０４３号
【発明の概要】
【発明が解決しようとする課題】
【０００５】
したがって、本発明によって解決される課題は、複数のワークステーションを迅速に始動させることができる、単純かつ簡単な繊繊機械を稼働させる方法、および、繊維機械を提供することである。
【課題を解決するための手段】
【０００６】
この課題は、独立項に記載された特徴を有する、繊維機械を稼働させる方法、および、繊維機械によって解決される。
【０００７】
本発明は、複数の同一のワークステーションを含む繊維機械を稼働させる方法に関する。この繊維機械は、原則として、同一のワークステーションを複数有するいかなるタイプの繊維機械であってよいが、特に、綾巻きボビンを形成する繊維機械であり得る。より詳しくは、可能性のある繊維機械としては、オープンエンド紡糸機、または、エアジェット紡糸機が挙げられる。
【０００８】
繊維機械によっては、ワークステーションは、通常動作中に糸を生成する（紡糸機）、または、供給ボビンから受取りボビンに糸を巻き直す（巻き取り機）。複数のワークステーションの停止後、例えば、計画的な機械の停止の後、ロット変更の後、または、電源異常の後に、それらのワークステーションが始動され、通常動作モードに入る。
【０００９】
本発明によれば、複数のワークステーションは、グループに分けられ、ワークステーションのグループは、異なる時間に始動する。時間をずらして始動することによって、繊維機械のリソースも異なる時間に必要とされるので、順々に始動するワークステーションの個々のグループは、十分なリソースが利用できる。ワークステーションの次のグループが始動する時にすでに１つのグループが通常動作を行っている必要はなく、むしろ短い時間ずれているほうが好ましい。この方法は、簡単かつ単純であり、複数のワークステーションの迅速な始動を可能にする。
【００１０】
ワークステーションの１つのグループは、例えば、１０より少なく、好ましくは、５より少ないワークステーション（例えば、２つのワークステーション）を含む。
【００１１】
有利には、ワークステーションの連続するグループの始動時間のずれは、予め定義可能な待ち時間である。待ち時間は、繊維機械の製造者によって予め定義されるか、または、繊維機械のオペレータが待ち時間を調整できることも考えられる。個別のワークステーションの開始動作の順序と、リソースの消費量とは、本質的に釣り合うので、非常に簡単な方法を用いて、予め定義可能な待ち時間によってワークステーションの迅速な始動が可能になる。待ち時間は、好ましくは、５秒未満であり、特に好ましくは、１秒未満であってよい。
【００１２】
ワークステーションの連続するグループの始動時間のずれが、繊維機械の状態データの関数として決定されれば有利である。予め定義可能な待ち時間を持たせたワークステーションの始動の間にはリソースの一定量の安全予備が維持されなければならないが、繊維機械の状態データを決定することによって、必要な安全予備を減らすことができるので、ワークステーションの個別のグループの始動をさらに速くすることができる。
【００１３】
複数のワークステーションがワークステーションの確定的に予め定義可能なグループへと分けられれば有利である。ワークステーションのグループの例は、物理的に連続したワークステーション、例えば、１セクション、または、１セクション側のワークステーションである。しかしながら、各セクションからワークステーションの１つのグループとして１つのワークステーションを選択する、各セクションから次のグループとして別のワークステーションを選択する、などといったことも考えられる。これは、特に、個々のセクションへのリソースの分配が不足している場合に有利である。ワークステーションを確定的に予め定義可能なグループへと分けたことによって、方法の実行は、非常に簡単になる。
【００１４】
有利には、複数のワークステーションを、繊維機械の状態データの関数として決定されるグループに分ける。このように、ある（任意の）セクションからなる少しのワークステーションと、他のセクション（あるセクションの以外のセクション）からなるほとんど全てのワークステーションを始動しなければならない場合であっても例えば、ほぼ同じ大きさのワークステーションのグループを形成することができる。利用可能なリソース次第で、グループの大きさを調整でき、グループの大きさが小さいほど、そのグループの利用可能なリソースも少なくなる。このやや複雑な方法によって、ワークステーションの始動はより速くなる。
【００１５】
ワークステーションが始動する順序が予め定義可能であれば有利である。
例えば、隣同士に配置されたワークステーションのグループは、次々に始動され得る。または、できるだけ離れたワークステーション同士が順々に始動されてもよい。この場合、ワークステーションの始動中に発生する熱が繊維機械でうまく分散される。いずれにせよ、ワークステーションのグループの始動順序が予め定義可能であることによって、繊維機械を稼働させる方法は非常に簡単になる。
【００１６】
ワークステーションが始動する順序が、繊維機械の状態データの関数として決定されれば有利である。これは、ワークステーションのグループが確定的に予め定義可能であり、いくつかのグループは、始動されるワークステーションを多く含み、他のグループは、始動されるワークステーションをほとんど含まない場合に特に有利である。この場合、グループの始動順序をうまく選択することによって、利用可能なリソースを最適な方法で利用することができる。
【００１７】
最終的に、状態データが、繊維機械のリソース、特に、エネルギー、圧縮空気、および／または、真空、および／または、紡績糸もしくは巻き付けた糸のパラメータを含むと有利である。利用可能なリソースは、複数のワークステーションの迅速な始動の制限因子となることも多い。したがって、利用可能なリソースと同様に、すでに消費されたリソースの正確な情報は、リソースの最適な利用に欠かせない。それによって、紡績糸、または、巻き付けられた糸が、例えば、厚みが異なるなどのさまざまな特性を有していても、始動動作の持続時間、および／または、リソースの消費量を異ならせることができる。その結果、紡績糸または巻き付けられた糸のパラメータの情報によって、繊維機械のワークステーションの始動をより速くすることができる。
【００１８】
さらに、糸を生成するか、または、供給ボビンから受け取りボビンへと糸を巻き直すための複数の同一のワークステーションを有する繊維機械が提供される。したがって、繊維機械は、紡糸機、または、巻き取り機であり、特に、綾巻きボビンを形成する繊維機であり、より詳しくは、オープンエンド紡糸機である。しかしながら、複数の同一のワークステーションを含む、エアジェット紡糸機などの他の繊維機械も本発明に含まれる。
【００１９】
本発明によれば、繊維機械は、請求項に記載の繊維機械を稼働させるよう設計された制御手段を含むか、または、制御手段に動作可能に接続される。したがって、特に、複数のワークステーションが停止後に再始動するために通常動作モードに入った場合、これらのワークステーションは、グループに分けられ、ワークステーションのグループは、異なる時間に始動される。このように、繊維機械を簡単で効率的に稼働させることができる。
【００２０】
有利には、制御手段は、１つの中央制御装置か、または、複数の中央制御装置である。中央処理装置では、繊維機械の稼働に必要な情報が伝達されているので、繊維機械の実現し得る最高の稼働が可能になる。
【００２１】
最後に、繊維機械の状態データを収集するためのセンサ、および／または、測定装置を繊維機械が有していれば有利である。状態データの情報によって、繊維機械の稼働はさらに最適化され得る。好ましくは、センサ、および／または、測定装置は、制御手段に接続される。このように、繊維機械の状態データは、簡単に制御手段に伝送されてよい。
【００２２】
繊維機械は、上述のように稼働され、上述のように設計されている。上述の特徴は、個別に、または、組み合わせて存在してよい。
【００２３】
本発明のさらなる利点は、以下の実施例に記載されている。
【図面の簡単な説明】
【００２４】
【図１】繊維機械を示す概略上面図である。
【図２】別の繊維機械を示す概略上面図である。
【発明を実施するための形態】
【００２５】
図１は、本発明の繊維機械１を示す概略上面図である。繊維機械１は、複数の同一のワークステーション２を有し、明確化のため、そのうちのいくつかに参照符号を付している。
【００２６】
繊維機械１は、いかなるタイプの繊維機械１であってもよいが、複数の同一のワークステーション２を有する、特に、紡糸機、または、巻き取り機であり得る。特筆すべきは、繊維機械１は、綾巻きボビンを形成し、この場合、特に、オープンエンド紡糸機、または、エアジェット紡糸機である。
【００２７】
さらに、繊維機械１は、中央制御装置４を含むヘッド３を有する。図示しない別の実施形態では、中央制御装置４ではなく、分散制御手段によって繊維機械１は稼働される。
【００２８】
ヘッド３は、ワークステーション２に、電力ケーブル５を介して電気エネルギーを供給し、圧縮空気管６を介して圧縮空気を供給する。ワークステーション２は、真空などの他のリソースを必要とする場合もある。
【００２９】
例えば、計画的な機械の停止の後、ロット変更の後、または、電源異常の後に、複数のワークステーション２の始動が必要な場合、ワークステーション２は、まず、グループ７に分けられる。個々のグループには、７．１、７．２等と符号を付している。本実施形態では、ワークステーション２のグループ７は、２つのワークステーション２からなる。グループ７ごとのワークステーション２の数は、より多くてもよく、また、すべてのグループ７のワークステーションの数が同じでないこともあり得る。
【００３０】
グループ７．１〜７．１００に割り当てられたワークステーション２が始動される場合、最初にグループ７．１が始動される。その後、グループ７．１のワークステーション２と時間をずらして、７．２のワークステーション２が始動される。この時間のずれにより、すべてのリソースが同時に必要になることがないので、時間をずらすことによって、ワークステーション２のすべてが迅速に始動可能になる。
【００３１】
上述の方法は、方法を実行するために制御装置４に特別な要求を課す必要がないので、とても簡単である。
【００３２】
図２に示された以下の別の実施形態では、図１に示された第１の実施形態の設計、および／または、動作モードと同一、および／または、少なくとも相当する特徴には同一の参照符号を付している。そのような特徴の詳細は、再び説明しないが、それらの設計、および／または、動作モードは、上述の特徴の設計、および／または、動作モードに対応する。
【００３３】
図２の実施形態では、ワークステーション２は、繊維機械の状態データの関数として決定された、ワークステーション２のグループ７に分けられている。特定のワークステーション２が割り当てられたグループは、７．１、７．２等と記されている。グループ７のナンバーが付されていないワークステーション２は、例えば、すでに通常動作モードで動作中であるか、または、始動前に解消すべき欠陥を有しているので、始動する必要がない。
【００３４】
ワークステーション２のグループ７への割り当てに影響し得る他の状態データは、例えば、繊維機械１のリソース、および／または、紡績糸もしくは巻き付けられた糸のパラメータである。これらの状態データを取り入れることによって、ワークステーション２の始動がより速くなるように、ワークステーション２がグループ７に割り当てられ得る。
【００３５】
さらに、グループ７ごとのワークステーション２の数、および、１つのグループ７の始動と次のグループ７との間の待ち時間は、繊維機械１の状態データの関数として決定されてよい。
【００３６】
つまり、本発明の方法は、単純かつ簡単であり、ワークステーション２の停止後、ワークステーション２を迅速に始動することを可能にする。
【００３７】
本発明は、上記例示的実施形態に限定されない。特徴が異なる実施形態に記載されていても、それらの特徴を組み合わせるなどの請求項の範囲内での変更が可能である。
【符号の説明】
【００３８】
１  繊維機械
２  ワークステーション
３  ヘッド
４  制御装置
５  電力ケーブル
６  圧縮空気管
７  グループ
【図１】
2020020083.tif 000003
【図２】
2020020083.tif 000004